【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
ネットワークを越えたアグリゲーション・ルーティングを最適化するための方法であって、
アグリゲートされたアカウント・データについてのリクエストを受けるステップと、
複数のデータ・アグリゲータ・サーバを分析して、該複数のデータ・アグリゲータ・サーバのうちのどれが、前記リクエストに対応する最適データ・アグリゲータ・サーバであるかを決定するステップと、
前記リクエストを前記最適データ・アグリゲータ・サーバに準拠するように再フォーマットするステップと、
再フォーマットした前記リクエストを前記最適データ・アグリゲータ・サーバへと前記ネットワークを越えて再ルーティングするステップと、
リクエストした前記アグリゲートされたアカウント・データを前記最適データ・アグリゲータ・サーバから前記ネットワークを越えて受けるステップと
を含む方法。
【請求項２】
請求項１に記載の方法であって、前記複数のデータ・アグリゲータ・サーバを分析して、該複数のデータ・アグリゲータ・サーバのうちのどれが、前記リクエストに対応する前記最適データ・アグリゲータ・サーバであるかを決定する前記ステップは、
前記複数のデータ・アグリゲータ・サーバの各々について、デリバリ属性を求めるステップと、
リクエストした前記アグリゲートされたアカウント・データ及びリクエストした前記アグリゲートされたアカウント・データのフォームを、前記複数のデータ・アグリゲータ・サーバの前記デリバリ属性と比較するステップと、
前記複数のデータ・アグリゲータ・サーバのうちの特定の１つについて、比較の閾値を満たした場合に、前記複数のデータ・アグリゲータ・サーバのうちの前記特定の１つを前記最適データ・アグリゲータ・サーバとして選択するステップと
を含む、方法。
【請求項３】
請求項２に記載の方法であって、前記複数のデータ・アグリゲータ・サーバの何れについても前記比較の閾値が満たされない場合に、前記比較の閾値を調節して、前記複数のデータ・アグリゲータ・サーバのうちの前記特定の１つを前記最適データ・アグリゲータ・サーバとして選択する前に、前記複数のデータ・アグリゲータ・サーバのうちの前記特定の１つについて、調節した前記比較の閾値が満たされるようにする、方法。
【請求項４】
請求項２に記載の方法であって、前記比較の閾値は、前記複数のデータ・アグリゲータ・サーバの各々から受けるアカウント・データの頑健さに対応する、方法。
【請求項５】
請求項２に記載の方法であって、前記比較の閾値は、前記複数のデータ・アグリゲータ・サーバの各々から受けるアカウント・データのデリバリ・スピードに対応する、方法。
【請求項６】
請求項２に記載の方法であって、前記比較の閾値は、前記複数のデータ・アグリゲータ・サーバの各々から受けるアカウント・データのコストに対応する、方法。
【請求項７】
請求項２に記載の方法であって、前記比較の閾値は、前記複数のデータ・アグリゲータ・サーバの各々から受けるアカウント・データの完全性に対応する、方法。
【請求項８】
請求項２に記載の方法であって、前記比較の閾値は、前記複数のデータ・アグリゲータ・サーバの各々から受けるアカウント・データの履歴の量に対応する、方法。
【請求項９】
請求項１に記載の方法であって、受けた前記アグリゲートされたアカウント・データを正規化するステップを更に含む方法。
【請求項１０】
請求項９に記載の方法であって、受けた前記アグリゲートされたアカウント・データを正規化するための所定のデータ・スケールを、受けた前記アグリゲートされたアカウント・データの正規化で用いるために受けるステップを更に含む方法。
【請求項１１】
請求項１に記載の方法であって、前記複数のデータ・アグリゲータ・サーバを分析して、該複数のデータ・アグリゲータ・サーバのうちのどれが、第２の最適データ・アグリゲータ・サーバであるかを決定するステップを更に含む方法。
【請求項１２】
請求項１１に記載の方法であって、前記第２の最適データ・アグリゲータ・サーバから受けるアグリゲートされたアカウント・データよりも、前記最適データ・アグリゲータ・サーバから受けるアグリゲートされたアカウント・データを優先させるステップを更に含む方法。
【請求項１３】
コンピュータのネットワークを越えたアグリゲーション・ルーティングを最適化するための方法であって、
パーソナル金融マネージャ（ＰＦＭ）において、ユーザからのアグリゲートされたアカウント・データについてのリクエストを受けるステップと、
前記ＰＦＭにおいて、複数のデータ・アグリゲータ・サーバを分析して、該複数のデータ・アグリゲータ・サーバのうちのどれが、前記リクエストに対応する最適データ・アグリゲータ・サーバであるかを決定するステップと、
前記ＰＦＭにおいて、前記リクエストを前記最適データ・アグリゲータ・サーバに準拠するように再フォーマットするステップと、
前記ＰＦＭにおいて、再フォーマットした前記リクエストを前記最適データ・アグリゲータ・サーバへとコンピュータの前記ネットワークを越えて再ルーティングするステップと、
前記ＰＦＭにおいて、リクエストした前記アグリゲートされたアカウント・データを前記最適データ・アグリゲータ・サーバからコンピュータの前記ネットワークを越えて受けるステップと、
前記ＰＦＭにおいて、受けた前記アグリゲートされたアカウント・データを前記ユーザに提示するステップと
を含む方法。
【請求項１４】
請求項１３に記載の方法であって、前記ＰＦＭにおいて、前記複数のデータ・アグリゲータ・サーバを分析して、該複数のデータ・アグリゲータ・サーバのうちのどれが、前記リクエストに対応する前記最適データ・アグリゲータ・サーバであるかを決定する前記ステップは、
前記ＰＦＭにおいて、前記複数のデータ・アグリゲータ・サーバの各々について、デリバリ属性を求めるステップと、
前記ＰＦＭにおいて、リクエストした前記アグリゲートされたアカウント・データ及びリクエストした前記アグリゲートされたアカウント・データのフォームを、前記複数のデータ・アグリゲータ・サーバの前記デリバリ属性と比較するステップと、
前記複数のデータ・アグリゲータ・サーバのうちの特定の１つについて、比較の閾値を満たした場合に、前記ＰＦＭにおいて、前記複数のデータ・アグリゲータ・サーバのうちの前記特定の１つを前記最適データ・アグリゲータ・サーバとして選択するステップと
を含む、方法。
【請求項１５】
請求項１４に記載の方法であって、前記複数のデータ・アグリゲータ・サーバの何れについても前記比較の閾値が満たされない場合に、前記ＰＦＭにおいて、前記比較の閾値を調節して、前記複数のデータ・アグリゲータ・サーバのうちの前記特定の１つを前記最適データ・アグリゲータ・サーバとして選択する前に、前記複数のデータ・アグリゲータ・サーバのうちの前記特定の１つについて、調節した前記比較の閾値が満たされるようにする、方法。
【請求項１６】
請求項１４に記載の方法であって、前記比較の閾値は、前記複数のデータ・アグリゲータ・サーバの各々から受けたアカウント・データの頑健さに対応する、方法。
【請求項１７】
請求項１４に記載の方法であって、前記比較の閾値は、前記複数のデータ・アグリゲータ・サーバの各々から受けたアカウント・データのデリバリ・スピードに対応する、方法。
【請求項１８】
請求項１４に記載の方法であって、前記比較の閾値は、前記複数のデータ・アグリゲータ・サーバの各々から受けたアカウント・データのコストに対応する、方法。
【請求項１９】
請求項１４に記載の方法であって、前記比較の閾値は、前記複数のデータ・アグリゲータ・サーバの各々から受けたアカウント・データの完全性に対応する、方法。
【請求項２０】
請求項１４に記載の方法であって、前記比較の閾値は、前記複数のデータ・アグリゲータ・サーバの各々から受けたアカウント・データの履歴の量に対応する、方法。
【請求項２１】
請求項１３に記載の方法であって、前記ＰＦＭにおいて、受けた前記アグリゲートされたアカウント・データを正規化するステップを更に含む方法。
【請求項２２】
請求項２１に記載の方法であって、前記ＰＦＭにおいて、受けた前記アグリゲートされたアカウント・データを正規化するための所定のデータ・スケールを、受けた前記アグリゲートされたアカウント・データの正規化で前記ＰＦＭにおいて用いるために受けるステップを更に含む方法。
【請求項２３】
請求項１３に記載の方法であって、前記ＰＦＭにおいて、前記複数のデータ・アグリゲータ・サーバを分析して、該複数のデータ・アグリゲータ・サーバのうちのどれが、第２の最適データ・アグリゲータ・サーバであるかを決定するステップを更に含む方法。
【請求項２４】
請求項２３に記載の方法であって、前記第２の最適データ・アグリゲータ・サーバから受けるアグリゲートされたアカウント・データよりも、前記最適データ・アグリゲータ・サーバから受けるアグリゲートされたアカウント・データを、前記ＰＦＭにおいて優先させるステップを更に含む方法。
【請求項２５】
１以上のプログラムを記憶した１以上の非一時的コンピュータ可読媒体であって、前記１以上のプログラムは、実行されると、１以上のプロセッサに、請求項１に記載の前記方法を実行させるように構成された、１以上の非一時的コンピュータ可読媒体。
【請求項２６】
１以上のプログラムを記憶した１以上の非一時的コンピュータ可読媒体であって、前記１以上のプログラムは、実行されると、１以上のプロセッサに、請求項１３に記載の前記方法を実行させるように構成された、１以上の非一時的コンピュータ可読媒体。